(57)【要約】【課題】  この発明は、移動型の地上デジタル放送受信機において、録画予約を行った後に、録画予約した地域と別の地域に移動した場合に、録画予約した番組と異なる番組が録画されるといったことを回避できる移動型地上デジタル放送受信機を提供することを目的とする。【解決手段】  現在時刻が、ある録画予約情報（以下、注目録画予約情報という）によって特定される録画予約番組の開始時刻から一定時間前になった場合には、録画準備のために放送受信を開始させ、受信した放送波に含まれている地域情報が注目録画予約情報内の地域情報と同じであるか否かを判別する手段、受信した放送波に含まれている地域情報が注目録画予約情報内の地域情報と異なる場合には、チャンネルリストを作成するとともに、作成したチャンネルリストに注目録画予約情報内のストリーム識別IDが存在するか否かを判別する手段を備えている。【選択図】  図１
2006050065.tif 000002
【特許請求の範囲】
【請求項１】
録画再生機能を備えた移動型地上デジタル放送受信機において、
ユーザが録画予約を行った場合には、録画予約された番組に対応する放送波の周波数、ストリーム識別ID、サービス識別IDおよび番組識別IDからなる録画予約番組特定情報の他、地域情報を、録画予約情報として登録させる手段、
現在時刻が、ある録画予約情報（以下、注目録画予約情報という）によって特定される録画予約番組の開始時刻から一定時間前になった場合には、録画準備のために放送受信を開始させ、受信した放送波に含まれている地域情報が注目録画予約情報内の地域情報と同じであるか否かを判別する手段、
受信した放送波に含まれている地域情報が、録画予約された際の地域情報と同じである場合には、注目録画予約情報内の録画予約番組特定情報に基づいて、録画予約番組の選局を行って、録画を開始させる手段、
受信した放送波に含まれている地域情報が注目録画予約情報内の地域情報と異なる場合には、チャンネルリストを作成するとともに、作成したチャンネルリストに注目録画予約情報内のストリーム識別IDが存在するか否かを判別する手段、ならびに
作成したチャンネルリストに注目録画予約情報内のストリーム識別IDが存在すると判別した場合には、注目録画予約情報内のストリーム識別IDが放送されている周波数にチューニングするととともに、注目録画予約情報内のサービス識別IDおよび番組識別IDに基づいて録画予約番組の選局を行って、録画を開始させる手段、
を備えていることを特徴とする移動型の地上デジタル放送受信機。
【請求項２】
ユーザが視聴予約を行った場合には、視聴予約された番組に対応する放送波の周波数、ストリーム識別ID、サービス識別IDおよび番組識別IDからなる視聴予約番組特定情報の他、地域情報を、視聴予約情報として登録させる手段、
現在時刻が、ある視聴予約情報（以下、注目視聴予約情報という）によって特定される視聴予約番組の開始時刻から一定時間前になった場合には、視聴準備のために放送受信を開始させ、受信した放送波に含まれている地域情報が注目視聴予約情報内の地域情報と同じであるか否かを判別する手段、
受信した放送波に含まれている地域情報が、視聴予約された際の地域情報と同じである場合には、注目視聴予約情報内の視聴予約番組特定情報に基づいて、視聴予約番組の選局を行って、放映を開始させる手段、
受信した放送波に含まれている地域情報が注目視聴予約情報内の地域情報と異なる場合には、チャンネルリストを作成するとともに、作成したチャンネルリストに注目視聴予約情報内のストリーム識別IDが存在するか否かを判別する手段、ならびに
作成したチャンネルリストに注目視聴予約情報内のストリーム識別IDが存在すると判別した場合には、注目視聴予約情報内のストリーム識別IDが放送されている周波数にチューニングするととともに、注目視聴予約情報内のサービス識別IDおよび番組識別IDに基づいて視聴予約番組の選局を行って、放映を開始させる手段を備えていることを特徴とする。
【発明の詳細な説明】
【技術分野】
【０００１】
この発明は、移動型地上デジタル放送受信機に関する。
【背景技術】
【０００２】
地上デジタル放送では地域毎に放送内容が異なっているため、録画機能を備えた移動型地上デジタル放送受信機において、録画予約を行った後に、録画予約した地域と別の地域に移動すると、録画予約した番組と異なる番組が録画されてしまう可能性がある。このようなことは、ＥＰＧ録画予約であっても、時間とサービスとを指定した録画予約においても同様である。
【発明の開示】
【発明が解決しようとする課題】
【０００３】
この発明は、移動型の地上デジタル放送受信機において、録画予約を行った後に、録画予約した地域と別の地域に移動した場合に、録画予約した番組と異なる番組が録画されるといったことを回避できる移動型地上デジタル放送受信機を提供することを目的とする。      
【０００４】
また、この発明は、移動型の地上デジタル放送受信機において、視聴予約を行った後に、視聴予約した地域と別の地域に移動した場合に、視聴予約した番組と異なる番組が放映されるといったことを回避できる移動型地上デジタル放送受信機を提供することを目的とする。
【課題を解決するための手段】
【０００５】
請求項１に記載の発明は、録画再生機能を備えた移動型地上デジタル放送受信機において、ユーザが録画予約を行った場合には、録画予約された番組に対応する放送波の周波数、ストリーム識別ID、サービス識別IDおよび番組識別IDからなる録画予約番組特定情報の他、地域情報を、録画予約情報として登録させる手段、現在時刻が、ある録画予約情報（以下、注目録画予約情報という）によって特定される録画予約番組の開始時刻から一定時間前になった場合には、録画準備のために放送受信を開始させ、受信した放送波に含まれている地域情報が注目録画予約情報内の地域情報と同じであるか否かを判別する手段、受信した放送波に含まれている地域情報が、録画予約された際の地域情報と同じである場合には、注目録画予約情報内の録画予約番組特定情報に基づいて、録画予約番組の選局を行って、録画を開始させる手段、受信した放送波に含まれている地域情報が注目録画予約情報内の地域情報と異なる場合には、チャンネルリストを作成するとともに、作成したチャンネルリストに注目録画予約情報内のストリーム識別IDが存在するか否かを判別する手段、ならびに作成したチャンネルリストに注目録画予約情報内のストリーム識別IDが存在すると判別した場合には、注目録画予約情報内のストリーム識別IDが放送されている周波数にチューニングするととともに、注目録画予約情報内のサービス識別IDおよび番組識別IDに基づいて録画予約番組の選局を行って、録画を開始させる手段を備えていることを特徴とする。
【０００６】
請求項２に記載の発明は、ユーザが視聴予約を行った場合には、視聴予約された番組に対応する放送波の周波数、ストリーム識別ID、サービス識別IDおよび番組識別IDからなる視聴予約番組特定情報の他、地域情報を、視聴予約情報として登録させる手段、現在時刻が、ある視聴予約情報（以下、注目視聴予約情報という）によって特定される視聴予約番組の開始時刻から一定時間前になった場合には、視聴準備のために放送受信を開始させ、受信した放送波に含まれている地域情報が注目視聴予約情報内の地域情報と同じであるか否かを判別する手段、受信した放送波に含まれている地域情報が、視聴予約された際の地域情報と同じである場合には、注目視聴予約情報内の視聴予約番組特定情報に基づいて、視聴予約番組の選局を行って、放映を開始させる手段、受信した放送波に含まれている地域情報が注目視聴予約情報内の地域情報と異なる場合には、チャンネルリストを作成するとともに、作成したチャンネルリストに注目視聴予約情報内のストリーム識別IDが存在するか否かを判別する手段、ならびに作成したチャンネルリストに注目視聴予約情報内のストリーム識別IDが存在すると判別した場合には、注目視聴予約情報内のストリーム識別IDが放送されている周波数にチューニングするととともに、注目視聴予約情報内のサービス識別IDおよび番組識別IDに基づいて視聴予約番組の選局を行って、放映を開始させる手段を備えていることを特徴とする。
【発明の効果】
【０００７】
この発明によれば、移動型の地上デジタル放送受信機において、録画予約を行った後に、録画予約した地域と別の地域に移動した場合に、録画予約した番組と異なる番組が録画されるといったことを回避できるようになる。
【０００８】
また、この発明によれば、移動型の地上デジタル放送受信機において、視聴予約を行った後に、視聴予約した地域と別の地域に移動した場合に、視聴予約した番組と異なる番組が放映されるといったことを回避できるようになる。
【発明を実施するための最良の形態】
【０００９】
以下、図面を参照して、この発明の実施例について説明する。
【実施例１】
【００１０】
〔１〕録画再生機能を備えた移動型地上デジタル放送受信機の構成についての説明
【００１１】
図１は、録画再生機能を備えた移動型地上デジタル放送受信機の構成を示している。
【００１２】
地上デジタル放送波は、地上波アンテナ１を介してチューナ２に送られ、高周波処理および復調が行われる。チューナ２からの出力はＤＥＭＵＸ回路３に送られ、パケットの復号が行われる。
【００１３】
ＤＥＭＵＸ回路３において、パケットは、ＡＶストリーム、マルチメディアコンテンツおよび番組配列情報に分別される。番組配列情報とは、デジタル放送において伝送される放送番組に関わる各種情報であり、ARIB STD-B10において規定されている。ＤＥＭＵＸ回路３によって分別されたＡＶストリームは、ＡＶデコーダ４に送られる。ＤＥＭＵＸ回路３によって分別されたマルチメディアコンテンツおよび番組配列情報は、システムコントローラ２０に送られる。
【００１４】
システムコントローラ２０は、この例では、プログラム等を記憶するＲＯＭ２１、必要なデータを記憶するＲＡＭ２２および必要なデータを記憶する不揮発性メモリ２３を備えている。
【００１５】
システムコントローラ２０は、ＤＥＭＵＸ回路３から送られてきたマルチメディアコンテンツおよび番組配列情報を、ＲＡＭ２２に格納する。システムコントローラ２０には、操作部１２からの操作信号が入力される。
【００１６】
システムコントローラ２０は、チューナ２およびＤＥＭＵＸ回路３に選局のための情報等を送る。また、システムコントローラ２０は、マルチメディアコンテンツ、各種操作画面等をＬＣＤ８に表示させるためのグラフィック制御信号を、グラフィック表示回路１４に送る。グラフィック表示回路１４は、マルチメディアコンテンツ、各種操作画面等の表示データを生成して、グラフィック信号としてマルチプレクサ（合成回路）６に送る。マルチプレクサ（合成回路）６に送られたグラフィック信号は、映像出力回路７を介して、ＬＣＤ８に送られる。
【００１７】
ＡＶデコーダ４は、ＤＥＭＵＸ回路３から送られてきたＡＶストリームを復号する。ＡＶデコーダ４によって得られた映像信号は、映像処理回路５、マルチプレクサ６および映像出力回路７を介して、ＬＣＤ８に送られる。ＡＶデコーダ４によって得られた音声信号は、音声処理回路９および音声出力回路１０を介してスピーカ１１に送られる。
【００１８】
録画時には、ＤＥＭＵＸ回路３によって分別されたＡＶストリームがストレージ３０に格納されるととともに、ＤＥＭＵＸ回路３によって分別された番組配列情報がシステムコントローラ２０を介して不揮発性メモリ、ハードディスク等のストレージ３０に格納される。
【００１９】
再生時には、ストレージ３０に格納されているＡＶストリームおよび番組配列情報がＤＥＭＵＸ回路３に送られる。ＤＥＭＵＸ回路３は、ストレージ３０から送られてきたＡＶストリームをＡＶデコーダ４に送るとともに、ストレージ３０から送られてきた  番組配列情報をシステムコントローラ２０に送る。
【００２０】
ＡＶデコーダ４は、ＤＥＭＵＸ回路３から送られてきたＡＶストリームを復号する。ＡＶデコーダ４によって得られた映像信号は、映像処理回路５、マルチプレクサ６および映像出力回路７を介して、ＬＣＤ８に送られる。ＡＶデコーダ４によって得られた音声信号は、音声処理回路９および音声出力回路１０を介してスピーカ１１に送られる。
【００２１】
〔２〕録画予約についての説明
〔２−１〕録画予約処理についての説明
【００２２】
ユーザは、ＥＰＧ画面から録画予約したい番組を選択することによって録画予約を行ったり、サービス（アナログ放送のチャンネルに相当するもの）と時間とを指定することによって録画予約を行うことが可能である。
【００２３】
ユーザが録画予約を行った場合には、システムコントローラは、録画予約された番組を特定するための情報の他、地域情報（NIT のAreaCode) を、録画予約情報として不揮発性メモリ２３に記憶する。録画予約された番組を特定する情報は、放送波の周波数(ch)、ストリーム識別ID(transport＿stream＿id) 、サービス識別ID(service＿id) 、番組識別ID(event＿id) からなる。録画予約された番組を特定する情報は、番組配列情報に含まれている情報から取得する。
【００２４】
なお、地上波デジタル放送では、地域が異なっても、ストリーム識別ID(transport＿stream＿id) が同一であれば、ストリームの内容（放送内容）は同じである。
【００２５】
〔２−２〕録画予約された番組の録画処理についての説明
【００２６】
図２は、録画予約された番組の録画処理手順を示している。
【００２７】
録画予約情報に基づいて、現在時刻が、録画予約された番組の開始時刻から一定時間前になったか否かを判別する（ステップＳ１）。ある録画予約情報（以下、注目録画予約情報という）によって特定される録画予約番組の開始時刻から一定時間前になった場合には、録画準備のために放送受信を開始させる（ステップＳ２）。
【００２８】
放送を受信することが不可能であれば（ステップＳ３でＮＯ）、録画不可である旨を一定期間表示した後（ステップＳ４）、今回の録画処理を終了する。放送を受信できた場合には（ステップＳ３でＹＥＳ）、受信した放送波内のNIT に含まれている地域情報（AreaCode) が、注目録画予約情報内の地域情報（AreaCode) （録画予約された際の地域情報）と同じであるか否かを判別する（ステップＳ５）。
【００２９】
受信した放送波内のNIT に含まれている地域情報（AreaCode) が、注目録画予約情報内の地域情報（AreaCode) と同じである場合には、注目録画予約情報内の録画予約された番組を特定する情報に基づいて、録画予約番組の選局を行って、録画を開始させる（ステップＳ６）。
【００３０】
上記ステップＳ５において、受信した放送波内のNIT に含まれている地域情報（AreaCode) が、注目録画予約情報内の地域情報（AreaCode) と異なると判別した場合には、チャンネルスキャン（周波数スキャン）を行って、チャンネルリストを作成する（ステップＳ７）。チャンネルリストは、受信可能な各周波数、受信可能な各周波数に関する各種情報とからなり、受信可能な各周波数に関する各種情報には、その周波数によって放送されているストリームに関するストリーム識別ID(transport＿stream＿id) 、サービス識別ID等が含まれている。
【００３１】
そして、作成したチャンネルリストに注目録画予約情報内のストリーム識別ID(transport＿stream＿id) が存在するか否かを判別する（ステップＳ８）。作成したチャンネルリストに注目録画予約情報内のストリーム識別ID(transport＿stream＿id) が存在しない場合には、録画不可である旨を一定期間表示した後（ステップＳ９）、今回の録画処理を終了する。
【００３２】
上記ステップＳ８において、作成したチャンネルリストに注目録画予約情報内のストリーム識別ID(transport＿stream＿id) が存在すると判別した場合には、注目録画予約情報内のストリーム識別ID(transport＿stream＿id) が放送されている周波数にチューニングするととともに、注目録画予約情報内のサービス識別ID(service＿id) および番組識別ID(event＿id) に基づいて録画予約番組の選局を行って、録画を開始させる（ステップＳ１０）。
【００３３】
なお、上記実施例では、録画予約について説明したが、この発明は視聴予約を行う場合にも適用することができる。
【図面の簡単な説明】
【００３４】
【図１】録画再生機能を備えた移動型地上デジタル放送受信機の構成を示すブロック図である。
【図２】録画予約された番組の録画処理手順を示すフローチャートである。
【符号の説明】
【００３５】
２  チューナ
３  ＤＥＭＵＸ回路
８  ＬＣＤ
１２  操作部
１４  グラフィック表示回路
２０  システムコントローラ
２１  ＲＯＭ
２２  ＲＡＭ
２３  不揮発性メモリ
３０  ストレージ
【図１】
2006050065.tif 000003
【図２】
2006050065.tif 000004